(57)【要約】【課題】本発明は、運転状況等を表示する表示装置の視認性の向上を得るとともに、表示装置を備えることによる室内空気の吸込み量の低減を防止して、空調性能の向上を得られる空気調和機の室内機を提供する。【解決手段】室内機本体１に吸込み口２，３および吹出し口４を開口し、内部に室内熱交換器９および室内送風機１２を収容し、可動パネル６は閉塞時には吸込み口を閉塞して室内機本体の外観の一部を構成し、開放時には吸込み口と間隙を存するよう可動し、表示装置２０は可動パネルに取付けられ運転状況等の情報を表示し、室内機本体に設けられる表示制御部Ｓは表示装置とリード線Ｒを介して電気的に接続され、表示装置を制御する。【選択図】    図３
2010048491.tif 000002
【特許請求の範囲】
【請求項１】
吸込み口および吹出し口が開口されるとともに、内部に室内熱交換器および室内送風機を収容する室内機本体と、
閉塞時には上記吸込み口を閉塞して上記室内機本体の外観の一部を構成し、開放時には上記吸込み口と間隙を存するよう前方へ突出する可動外観部品と、
この可動外観部品に取付けられ、運転状況等の情報を表示する表示装置と、
この表示装置とはリード線を介して電気的に接続され、表示装置を制御する上記室内機本体に設けられる表示制御部と、
を具備することを特徴とする空気調和機の室内機。
【請求項２】
上記表示装置は、運転の停止中において、上記表示制御部の直前部位に位置することを特徴とする請求項１記載の空気調和機の室内機。
【請求項３】
上記表示装置と上記表示制御部とを電気的に接続する上記リード線は、リード線保護構造部品を介在して配線されることを特徴とする請求項１および請求項２のいずれかに記載の空気調和機の室内機。
【請求項４】
上記リード線保護構造部品は、上記可動外観部品の可動に応じて屈曲する屈曲部を備え、上記リード線はリード線保護構造部品内においてクランク状に折曲配線されることを特徴とする請求項３記載の空気調和機の室内機。
【請求項５】
上記リード線保護構造部品における上記屈曲部は、少なくとも互いに離間して並行な２本の回動軸を備えていて、
これら回動軸の軸間距離が可変可能に構成されることを特徴とする請求項４記載の空気調和機の室内機。
【請求項６】
上記リード線保護構造部品における回動軸相互の軸間距離は、リード線保護構造部品の長さ方向に伸縮することを特徴とする請求項５記載の空気調和機の室内機。
【請求項７】
上記リード線保護構造部品は、回動軸相互の軸間距離の可変に応じて上記リード線の長さを調整するリード線ガイドを備えることを特徴とする請求項５および請求項６のいずれかに記載の空気調和機の室内機。
【発明の詳細な説明】
【技術分野】
【０００１】
本発明は、空気調和機の室内機に係り、特に可動外観部品に対する運転状況等を表示する表示装置の取付け構造に関する。
【背景技術】
【０００２】
空気調和機を構成する室内機は、壁掛け形と呼ばれるタイプのものが主流を占めている。この種の室内機において、室内機本体には現在時刻、室内温度、外気温度他の情報を表示する表示装置と、遠隔操作信号を受信する受信部が設けられる一方で、空調運転に関する設定内容を表示する画面である表示部を備えたリモコンが用意されている。
【０００３】
使用者が、リモコンの表示部での表示内容を確認しながら空調運転の種類や設定温度等を設定すると、リモコンから発信された信号が室内機本体の受信部で受信される。これらの設定内容の信号は受信部から制御部へ送られ、制御部は圧縮機や送風機等の運転部品を制御する。
【０００４】
たとえば、［特許文献１］に開示される空気調和機の室内機では、上記表示装置は室内機本体の前面に形成される吸込み口の下部側で、かつ前面下部に設けられる吹出し口の側部に設けられていた。表示装置は極く狭いスペースに取付けられるので小型化をせざるを得ず、ＬＥＤランプの表示のみで表示内容が乏しいものであった。
【０００５】
そこで、［特許文献２］において、運転状況を表示する大形の液晶表示装置を、室内機本体の略中央部でやや下向きに配設することを特徴とする空気調和機の室内機が提供されている。具体的には、前面パネルの中央部に大形の液晶表示装置を取付け、この左右両側に吸込み口が形成される。
【特許文献１】特開平１１−１５９８４６号公報
【特許文献２】特開２００１−１１６３３３号公報
【発明の開示】
【発明が解決しようとする課題】
【０００６】
このような［特許文献２］の技術は視認性の向上を得るが、液晶表示装置と対向する前パネルの中央部分が手前側に突出した構造となり美観が損なわれるとともに、前パネルの製造性が悪くなってコストに悪影響が出る。しかも、本体ケーシングの前面に形成される吸込み口の一部を潰して（閉塞して）液晶表示装置を取付けなければならない。
【０００７】
本体ケーシングに回動自在に取付けられる前パネルは、その中央部が液晶表示装置を覆うために閉塞され、この左右両側部に吸込みグリルが形成されている。すなわち、吸込み用の開口面積が液晶表示装置のために低減することになり、一般的な室内機と比較して室内空気の吸込み量が少なく、空調性能が低下してしまう。
【０００８】
ところで、近年、本体前面に形成される吸込み口に対して、開口部の無い平板状の可動パネルを設け、運転停止時において吸込み口を完全閉塞して本体の外観一部を構成するとともに、塵埃の侵入を阻止する。運転開始時には可動パネルを本体の前面側へ突出させ、この隙間を介して吸込み口に室内空気を導く構造が採用されるようになった。
【０００９】
この種の室内機において、［特許文献２］のように室内機本体に表示装置を取付けると、空調運転時に可動パネルが前面側に突出したとき、本体と可動パネルとの間の隙間から表示装置の情報を読み取ることとなって視認性に欠ける。また、隙間の一部を表示装置が塞ぐことは変りがなく、室内空気の吸込み量の低減を改善するには至らない。
【００１０】
本発明は上記事情にもとづきなされたものであり、その目的とするところは、可動外観部品を備えたうえで、運転状況等を表示する表示装置の視認性の向上を得るとともに、表示装置を備えることによる室内空気の吸込み量の低減を防止して、空調性能の向上を得られる空気調和機の室内機を提供しようとするものである。
【課題を解決するための手段】
【００１１】
上記目的を満足するため本発明の空気調和機の室内機は、室内機本体に吸込み口および吹出し口を開口し内部に室内熱交換器および室内送風機を収容し、可動外観部品は閉塞時には吸込み口を閉塞して室内機本体の外観の一部を構成し開放時には吸込み口と間隙を存するよう前方へ突出し、表示装置は可動外観部品に取付けられ運転状況等の情報を表示し、室内機本体に設けられる表示制御部は表示装置とはリード線を介し電気的に接続されて表示装置を制御する。
【発明の効果】
【００１２】
本発明によれば、運転状況等を表示する表示装置の視認性の向上を得るとともに、表示装置を備えることによる室内空気の吸込み量の低減を防止して、空調性能の向上を得られるなどの効果を奏する。
【発明を実施するための最良の形態】
【００１３】
以下、本発明の実施の形態を、図面にもとづいて説明する。  
図１は冷凍サイクル運転の停止時における空気調和機の室内機の外観を示す斜視図、図２は同状態での室内機の断面を模式的に示す図である。  
図中１は筐体である室内機本体であり、前面が側面視で湾曲成され外郭を構成する前面パネル１Ａと、内部に収納される部品を配置する後本体１Ｂとから構成される。前面パネル１Ａの上面には上面吸込み口２が設けられ、前面パネル１Ａの前面には下部を残して前面吸込み口３が設けられ、前面パネル１Ａの前面下部には吹出し口４が開口される。
【００１４】
上面吸込み口２にはグリル５が嵌め込まれていて、上面吸込み口２は常時開放状態にある。前面パネル１Ａの前面部は、ここでは図示しない上端部のヒンジ部を介して回動自在に開閉支持されて開閉可能である。
【００１５】
上記前面パネル１Ａの前面に設けられる前面吸込み口３は、パネル開閉機構Ｋを介して取付けられる可動パネル（可動外観部品）６によって開閉されるようになっている。すなわち、可動パネル６は空気調和機の運転停止中や、内部のクリーン運転時などにおいて前面吸込み口３を閉塞し、室内機本体１の外観の一部を構成する外観部品である。
【００１６】
そして、後述するように空気調和機の運転が開始されると、上記パネル開閉機構Ｋが作動し、上記可動パネル６は前面吸込み口３から離間して前面側へ突出移動する、可動部品でもある。
【００１７】
室内機本体１内には、前側熱交換器部９Ａと後側熱交換器部９Ｂとで略逆Ｖ字状に形成される室内熱交換器９が配置される。上記前側熱交換器部９Ａは、前面パネル１Ａおよび可動パネル６と間隙を存して湾曲成される。後側熱交換器部９Ｂは、直状で斜めに傾斜され上面吸込み口２と対向する。
【００１８】
上記前側熱交換器部９Ａの前面側に、電気集塵機１０が取付けられる。この電気集塵機１０は、本来の集塵動作と、オゾン発生装置としても動作する。室内熱交換器９と前面吸込み口３および上面吸込み口２との間に亘りエアフィルタ１１が介在される。前面パネル１Ａを可動パネル６ごと開放すれば、エアフィルタ１１を室内機本体１に対し容易に挿脱できる。
【００１９】
上記室内熱交換器９の前後側熱交換器９Ａ，９Ｂの相互間で、かつ上記吹出し口４と対向して室内送風機１２が配置される。この室内送風機１２は、室内熱交換器９の幅方向寸法と略同一の軸方向寸法を備え、室内熱交換器９と対向して配置される横流ファンと、この横流ファンを回転駆動するファンモータとから構成される。
【００２０】
前側熱交換器部９Ａの下端部は前ドレンパン１３ａ上に載り、後側熱交換器部９Ｂの下端部は後ドレンパン１３ｂ上に載って、前側、後側それぞれの熱交換器部９Ａ，９Ｂから滴下するドレン水を受け、外部に排水できる。前後ドレンパン１３ａ，１３ｂの一部側壁外面は室内送風機１２に近接した位置に設けられ、室内送風機１２のファンに対するノーズｎを構成する。
【００２１】
ノーズｎを構成する前後ドレンパン１３ａ，１３ｂの側壁部分と、吹出し口４の各辺部との間は、隔壁部材１４によって連結される。この隔壁部材１４で囲まれる空間が、ノーズｎと吹出し口４とを連通する吹出し通風路１５となる。
【００２２】
上記吹出し通風路１５の終端部に開口する上記吹出し口４には、水平吹出しルーバ７Ａと左右吹出しルーバ７Ｂが設けられる。ここでは１枚の水平吹出しルーバ７Ａ上に、互いに作動機構を介して連結される複数枚の左右吹出しルーバ７Ｂが支持される。水平、左右吹出しルーバ７Ａ，７Ｂとも、それぞれ図示しない駆動機構と駆動源を介して機械的に連結される。
【００２３】
図３は冷凍サイクル運転時における室内機の外観を示す斜視図、図４は室内機の一側部のみを示す斜視図、図５は同状態での前面パネル１Ａと可動パネル６の一部斜視図、図６は室内機本体１に対して前面パネル１Ａを全開に回動した状態の室内機の一側部のみを示す斜視図である。
【００２４】
上記可動パネル６は、上下方向に沿って湾曲した断面形状をなしている。図３では、前面パネル１Ａの左右幅方向の一側部（右側）のみにパネル開閉機構Ｋが設けられ、可動パネル６を裏面側から支持しているが、実際には前面パネル１Ａの左右幅方向の両側部にパネル開閉機構Ｋが設けられ、可動パネル６の両側部を支持している。
【００２５】
上記パネル開閉機構Ｋは、駆動モータに減速機構を介して連結される駆動軸と、リンク機構体とから構成される。リンク機構体は、固定アームと、駆動アームおよび従動アームと、これら駆動アームと従動アームに回動自在に連結される補助アームを備えた平行４リンク機構であり、駆動アームと補助アームとの間には補助リンク機構が設けられる。
【００２６】
リモコンの運転スイッチをオンに切換えると、運転モードの選択に応じて可動パネル６の開放姿勢が相違してくる。  
たとえば、除湿運転モードや内部乾燥運転モードが選択されると、パネル開閉機構Ｋは可動パネル６を前面パネル１Ａからわずかに突出させ、前面吸込み口３を半開き状態とする。すなわち、可動パネル６は前面吸込み口３の直前位置に突出し、互いの下端と上端は略同一高さ位置にあり略並行状態となる。
【００２７】
冷房運転モードもしくは暖房運転モードが選択されると、パネル開閉機構Ｋは可動パネル６を半開き位置を介して前面パネル１Ａから最大限突出させ、前面吸込み口３を全開する。このとき、可動パネル６の下端と上端は前面吸込み口３の下端と上端よりも高い位置にあり、かつ可動パネル６は下端よりも上端が前方へ突出して傾く。
【００２８】
また、冷房運転モードが選択されると、水平吹出しルーバ７Ａはほとんど水平方向へ向くよう傾く。暖房運転モードが選択されると、水平吹出しルーバ７Ａはほとんど直下方向に向けられる。冷暖房いずれの運転時においても、複数枚の左右吹出しルーバ７Ｂは互いに並行したまま回動駆動されるようになっている。
【００２９】
上記可動パネル６の裏面で一方（右側）のパネル開閉機構Ｋの内側に、液晶パネルあるいは有機ＥＬパネルとＬＥＤからなる表示装置２０が取付けられる。表示装置２０は、現在時刻、室内温度、外気温を選択表示するとともに、空調運転の消費電力量および電気代等の情報の表示をなし、可動パネル６を介して情報の読み取り確認が可能である。
【００３０】
可動パネル６における表示装置２０の取付け位置とパネル開閉機構Ｋの動作から、冷凍サイクル運転停止時と、除湿運転時と、冷暖房運転時における可動パネル６の姿勢変化に係らず、また室内機が壁掛け形と呼ばれ壁面高所に取付けられるが、居住人は座り姿勢と立ち姿勢のいずれにおいても表示装置２０に対する視認性を良好に確保できる。
【００３１】
一方、上記室内熱交換器９の一側部は室内機本体１の側面板と間隙を存して配置され、この間隙に制御部を収容する電気部品箱１６が配置される。上記制御部は、リモコンからの信号を受ける受信部、前面吸込み口３、上面吸込み口２、室内熱交換器９、吹出し口４等に取付けられる温度センサや湿度センサと電気的に接続され、送られてくる信号を受ける。
【００３２】
そして制御部は、電気集塵機１０を構成する電極、室内送風機１２の駆動モータ、吹出し口４に設けられる水平吹出しルーバ７Ａと左右吹出しルーバ７Ｂを駆動するルーバ開閉機構の駆動源および、室外機と電気的に接続されていて、それぞれの構成部品に必要な制御信号を送る。
【００３３】
さらに制御部は、表示装置２０を制御する表示制御部Ｓを備えていて、この表示制御部Ｓと表示装置２０は後述するようにリード線Ｒを介して電気的に接続される。上記リード線Ｒは全長に亘って後述するリード線保護構造部品Ｈ内に収容され、可動パネル６が最大限突出しても、リード線Ｒはリード線保護構造部品Ｈ内にあり露出しない。
【００３４】
つぎに、上記リード線保護構造部品Ｈについて説明する。  
図７は組立てられた表示装置２０とリード線保護構造部品Ｈの斜視図、図８は分解して示す表示装置２０とリード線保護構造部品Ｈの斜視図、図９（Ａ）（Ｂ）はリード線ガイド２４と、この取付け構造を説明する図、図１０は組立てられた表示装置２０とリード線保護構造部品Ｈの平面図である。
【００３５】
リード線保護構造部品Ｈは、表示装置２０に第１の屈曲部２１を介して連結される下ケース２２と、この下ケース２２と内部空間を形成するとともに、スライド自在に嵌め合わされる上ケース２３と、これら下ケース２２と上ケース２３との内部に収容されるリード線ガイド２４を備えている。
【００３６】
さらに、リード線保護構造部品Ｈは、上ケース２３に第２の屈曲部２５を介して連結されるガイド部材２６と、このガイド部材２６と一体に連結固定され、上記前面パネル１Ａに回動自在に支持されるヒンジ部材２７とから構成される。
【００３７】
なお説明すると、下ケース２２は上面と表示装置２０側および反表示装置２０側の側面が開放され、下面部と両側面部が一体に折曲げ形成される。一端部にはヒンジ部２１ａが設けられ、表示装置２０に設けられるヒンジ受け部２１ｂに嵌め合わされる。これらヒンジ部２１ａとヒンジ受け部２１ｂとで回動軸が構成され、上記第１の屈曲部２１となる。
【００３８】
さらに、下ケース２２の下面部には平面視で矩形状の突部３０が設けられているが、これはリード線Ｒをガイドするためのものである。下ケース２２の下面部で上記突部３０が設けられる近傍位置に、長孔３１が設けられる。  
説明の都合上、表示装置２０側と反表示装置２０側を結ぶ線方向を「Ｙ方向」と呼び、このＹ方向とは直交する方向を「Ｘ方向」と呼ぶ。上記下ケース２２の下面部に設けられる長孔３１は、Ｘ方向に長く形成される。
【００３９】
下ケース２２に設けられる上記長孔３１に、図９（Ａ）（Ｂ）に示すように、リード線ガイド２４に設けられる円形状の突起３２が嵌め込まれる。リード線ガイド２４は平面視が長円状で、所定高さのコマ部材である。上記突起３２が設けられる面部とは反対側の面部に、真円状の軸部が設けられていて、この軸部の先端に図８に示すように、位置決め用突起３３が設けられる。
【００４０】
上記位置決め用突起３３は、円形状であるとともに、対向する部位に矩形状の突部が一体に設けられる。リード線ガイド２４の突起３２が設けられる面部から位置決め用突起３３が設けられる面部に亘って切り込み部３５が設けられ、突起３２が設けられる面部は二分されている。
【００４１】
上記上ケース２３は下面とＹ方向に対向する二面が開放され、上面部とＸ方向に対向する両側面部が折曲げ形成される。上ケース２３の上面部には、上記リード線ガイド２４の位置決め用突起３３が掛合する掛合用孔３６が設けられる。なお、位置決め用突起３３の基端である軸部の長さ寸法は、上ケース２３の上面部板厚よりもわずかに大である。
【００４２】
上記掛合用孔３６は、位置決め用突起３３と相似形をなしていて、リード線ガイド２４の位置決め用突起３３を上ケース２３の掛合用孔３６に挿入したあとリード線ガイド２４を回動すれば、掛合用孔３６に対する位置決め用突起３３の位置がずれて、リード線ガイド２４は上ケース２３から抜き出し不能となる。
【００４３】
上ケース２３の上面部には掛合用孔３６を中心とした所定角度で扇状の突部３７が設けられていて、上ケース２３に取付けたリード線ガイド２４の回動範囲を規制する。その一方で、上ケース２３の開放された面部に下ケース２２を嵌め合わせることで、これら上ケース２３と下ケース２２との内部空間にリード線ガイド２４を収容できる。
【００４４】
上ケース２３と下ケース２２とは、互いに長さ方向であるＹ方向に沿ってスライド自在であり、スライドにともないリード線ガイド２４が上ケース２３の扇状の突部３７内を回動する。同時にリード線ガイド２４の突起３２が下ケース２２の長孔３１内を移動し、上下ケース２３，２２のスライド量に対するリード線ガイド２４の回動量が規制される。
【００４５】
再び図８に示すように、上ケース２３の上面部でＹ方向の一端部にはヒンジ部２５ａが設けられ、ガイド部材２６に設けられるヒンジ受け部２５ｂに嵌め合わされる。これら上ケース２３のヒンジ部２５ａとガイド部材２６のヒンジ受け部２５ｂとで回動軸が構成され、上記第２の屈曲部２５となっている。
【００４６】
上記ガイド部材２６と、このガイド部材２６に連結されるヒンジ部材２７には、リード線Ｒが挿通する内部空間が確保されている。  
図１０に示すように、二点鎖線で示すリード線Ｒは一端部が表示装置２０に接続される。さらに、リード線Ｒは表示装置２０と下ケース２２とから構成される第１の屈曲部２１を挿通され、下ケース２２と上ケース２３の組み合わされた内部空間に導かれ、ここでリード線ガイド２４の切り込み部３５間を挿通される。
【００４７】
上記切り込み部３５を出たリード線Ｒは、リード線ガイド２４端部と上下ケース２３、２２の側面部との間を導かれる。したがって、リード線Ｒは下ケース２２と上ケース２３とが組み合わされた内部空間でクランク状に折曲形成される。リード線ガイド２４が位置決め用突起３３を支点として回動変位しても、リード線Ｒ形状は変らない。
【００４８】
リード線Ｒは上ケース２３とガイド部材２６とから構成される第２の屈曲部２５に挿通され、ガイド部材２６からヒンジ部材２７に導かれ、ここで折曲げ形成される。そして、リード線Ｒはヒンジ部材２７から突出して上記電気部品箱１６内に収容される表示制御部Ｓに接続される。
【００４９】
以上説明した空気調和機の室内機において、たとえば除湿運転モードが選択されると、冷凍サイクル運転が開始されるとともに、パネル開閉機構Ｋが作用して可動パネル６を前面パネル１Ａから前方に突出させる。このときの突出量は小さく、可動パネル６と前面パネル１Ａとの間にわずかの隙間が形成される。
【００５０】
室内送風機１２は風量が極く小さい状態で送風作用をなし、水平吹出しルーバ７Ａは上端が吹出し口４の上端とわずかの間隙を存するように回動する。室内熱交換器９に導かれ水分が蒸発した熱交換空気は吹出し口４から可動パネル６の裏面側に沿って導かれ、前面吸込み口３と、可動パネル６と前面パネル１Ａとの隙間から室内機本体１内部に吸込まれる。
【００５１】
そして、再び室内熱交換器９と熱交換し、熱交換空気は吹出し口４からほとんど室内へ吹出されることなく、室内機本体１前面である可動パネル６の表裏面と室内熱交換器９とをショートサーキット状態で循環する。室内の居住人に冷気が当たることが無い状態での除湿作用が行われ、快適空調が得られる。  
あるいは、室内熱交換器９や前後ドレンパン１３ａ，１３ｂもしくは通風路１５等に付着するドレン水滴を早急に蒸発化して室内機本体１内の乾燥を図り、カビの発生を防止する。いずれにしても、吸込み面積を確保して空調性能の向上を得る。
【００５２】
冷房運転モードもしくは暖房運転モードが選択されると、パネル開閉機構Ｋは可動パネル６を前面吸込み口３に対して全開する。水平吹出しルーバ７Ａは冷房運転時にほとんど水平方向へ向けられ、居住人に冷風が直接当たらないようにする。暖房運転時にほとんど直下方向に向けられ、居住人の足元へ温風を吹出す。
【００５３】
冷暖房いずれの運転時においても、上記パネル開閉機構Ｋは可動パネル６を最大限前方（手前側）へ突出させる。したがって、可動パネル６は先に図１で示す前面吸込み口３を完全閉成する位置および半開き位置よりも上方へ移動し、かつ斜めに傾く。
【００５４】
冷房運転と暖房運転時は、多量の室内空気が可動パネル６と前面パネル１Ａとの隙間から前面吸込み口３を介して室内機本体１内へ、および上面吸込み口２から室内機本体１内へ吸込まれて室内熱交換器９へ導かれる。いずれの運転時にも充分な風量を確保でき、室内熱交換器９への滞留域の低減化をなし、熱交換効率と空調性能の向上を得る。
【００５５】
上記表示装置２０を可動パネル６に取付けることにより、前面吸込み口３から吸込まれる室内空気に対する何らの抵抗にもならない。したがって、室内空気の吸込み量の低減を防止して、空調性能の向上を得られる  
可動パネル６の移動にともない表示装置２０は吹出し口４の上方部位へ移動しているので、冷房運転時における冷風の直接的な影響を受けずにすみ結露の発生がない。暖房運転時には、温風の直接的な熱影響を受けずにすみ、熱変形の発生がない。
【００５６】
リモコンの運転スイッチをオフにすると、冷凍サイクル運転が終了するとともに、室内送風機１２および電気集塵機１０の作用が停止する。パネル開閉機構Ｋは可動パネル６を後退移動させて、前面パネル１Ａに密着させる。前面吸込み口３が閉塞されるので、ここから室内機本体１内部への塵埃の侵入はない。吹出し口４は水平吹出しルーバ７Ａによって閉成され、塵埃の室内機本体１内部侵入が阻止される。
【００５７】
上述したように、冷凍サイクル運転の停止時において可動パネル６は前面吸込み口３を閉塞し、除湿運転モードが選択されると、パネル開閉機構Ｋは可動パネル６を前面吸込み口３に対して半開きに開放する。冷房運転モードもしくは暖房運転モードが選択されると、パネル開閉機構Ｋは可動パネル６を前面吸込み口３に対して全開に開放する。
【００５８】
可動パネル６は前面吸込み口３の閉塞位置から前面パネル１Ａの前面側に突出し、突出姿勢は運転モードに応じて互いに異なる。このような可動パネル６の移動にともなって表示装置２０は姿勢変化をなし、リード線保護構造部品Ｈは追従して動作しなければならない。
【００５９】
すなわち、冷凍サイクル運転の停止時には、図７に示すように表示装置２０は略垂直の姿勢になる。除湿運転モードが選択されると、可動パネル６は前面パネル１Ａからわずかに突出し、これにともなってリード線保護構造部品Ｈの屈曲形態がわずかに変化する。
【００６０】
上記表示装置２０と下ケース２２とを連結する第１の屈曲部２１が回動し、上ケース２３とガイド部材２６とを連結する第２の屈曲部２５が回動する。同時に、第１の屈曲部２１と第２の屈曲部２５の軸間距離がある程度変化するが、下ケース２２と上ケース２３を長さ方向（Ｙ方向）にスライド自在に構成したので、リード線保護構造部品Ｈは可動パネル６の動作に何らの不具合もなく、円滑に追従して伸縮変化する。
【００６１】
冷房運転もしくは暖房運転が選択されると、図５に示すように、可動パネル６は前面パネル１Ａに対して斜め上方へ突出して姿勢が大きく変化する。これにともない表示装置２０と下ケース２２とを連結する第１の屈曲部２１が大きく回動するとともに、上ケース２３とガイド部材２６とを連結する第２の屈曲部２５が大きく回動する。
【００６２】
同時に、第１の屈曲部２１と第２の屈曲部２５の軸間距離が大きく変化する。ここでも、下ケース２２と上ケース２３を長さ方向（Ｙ方向）にスライド自在に構成したので、リード線保護構造部品Ｈは可動パネル６の動作に何らの不具合もなく、円滑に追従して伸縮変化する。
【００６３】
なお説明すると、上記パネル開閉機構Ｋは平行リンク機構と補助リンク機構との組合せで構成されており、可動パネル６を単純に上端部を枢支点として回動動作させるのとは、全く相違し複雑化した状態で開閉操作する。  
上記表示装置２０は可動パネル６に取付けられ、この表示装置２０と表示制御部Ｓとを結線するリード線Ｒはリード線保護構造部品Ｈに収容され、保護されている。当然、上記パネル開閉機構Ｋの動作に合せてリード線保護構造部品Ｈも動作する必要がある。
【００６４】
しかしながら、パネル開閉機構Ｋの駆動中心位置に対してリード線保護構造部品Ｈの駆動中心位置が不一致に構成されている。リード線保護構造部品Ｈにおいて何らの対策も施さないと、パネル開閉機構Ｋの駆動抵抗となり、可動パネル６の円滑な動作を阻害してしまう。
【００６５】
そこで、本発明におけるリード線保護構造部品Ｈは、可動パネル６の可動に応じて屈曲する第１の屈曲部２１と、第２の屈曲部２５を備えている。第１、第２それぞれの屈曲部２１，２５はヒンジ部２１ａ，２５ａとヒンジ受け部２１ｂ，２５ｂとが嵌め合わさって、回動軸を構成する。
【００６６】
上記リード線保護構造部品Ｈは、互いに離間して並行な２本の回動軸を備えることとなる。しかも、これら回動軸を構成する第１の屈曲部２１と第２の屈曲部２５との間に介在する下ケース２２と上ケース２３は、長さ方向であるＹ方向にスライド自在に組み合わされて伸縮自在であり、回動軸の軸間距離が可変可能に構成される。
【００６７】
上述したように、パネル開閉機構Ｋの駆動中心位置に対してリード線保護構造部品Ｈの駆動中心位置が不一致であるが、パネル開閉機構Ｋの動作を阻害することなくリード線保護構造部品Ｈが動作し、可動パネル６の駆動抵抗となることはない。
【００６８】
さらに、リード線保護構造部品Ｈは、回動軸相互の軸間距離の可変に応じてリード線Ｒの長さを調整するリード線ガイド２４を備えている。具体的には、リード線ガイド２４の位置決め用突起３３が上ケース２３に回動自在に取付けられるとともに、下ケース２２の長孔３１にリード線ガイド２４の突起３２が摺動自在に嵌め合わされている。
【００６９】
上記長孔３１はリード線保護構造部品Ｈの長さ方向（Ｙ方向）とは直交するＸ方向に長い。このような構成により、リード線保護構造部品ＨのＹ方向に沿う伸縮に応じてリード線ガイド２４の角度が長孔３１に規制された状態で変化し、リード線ガイド２４に沿ってクランク状に折曲形成されるリード線Ｒの長さが調整される。
【００７０】
結果として、可動パネル６の姿勢変化に応じてリード線保護構造部品Ｈの屈曲姿勢が変化しても、この内部でリード線Ｒが引っ張られたり、弛んだりすることなく、一定の緊張度を保持した状態で長さの調整が行われる。第１、第２の屈曲部２１，２５に掛かる曲げ応力を低減し、変形・破損を防止する。
【００７１】
リード線Ｒをクランク状に折曲形成し、この長さを調整するリード線ガイド２４を設けたので、リード線保護構造部品Ｈの伸長時にリード線Ｒに張力がかからずにすみ、短縮時にリード線保護構造部品Ｈの構成部品間にリード線Ｒが挟まれることを防止する。  
可動パネル６の姿勢変化にともない、表示装置２０と表示制御部Ｓとの間を電気的に接続するリード線Ｒも形態変化するが、リード線Ｒが他の構成部品に引っ掛ることはない。リード線Ｒを保護するリード線保護構造部品Ｈも他の構成部品に接触することはない。
【００７２】
さらに本発明によれば、空気調和機室内機の可動する外観部品である可動パネル６に表示装置２０を設け、数字等で電気代等の情報を表示するようにしたので、視認し易い位置に、ユーザーが必要な情報を表示することができる。  
表示装置２０は可動パネル６と一体になるように固定され、室内機本体１内に設けられる表示制御部Ｓとはリード線Ｒで結線するようにしたので、外観表面から表示装置２０の距離が一定となり、どの位置に稼動しても、表示の見映えは一定となる。
【００７３】
表示装置２０は冷凍サイクル運転の停止時において室内機本体１に備えられる電気部品箱１６（表示制御部Ｓ）の直前部位に位置するので、リード線Ｒの長さが最短になる。リード線保護構造部品Ｈでリード線Ｒのほぼ全域をカバーするようにしたので、リード線Ｒは全長と接続端部において破断・破損事故から守られて信頼性を得る。  
本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【００７４】
【図１】本発明における実施の形態に係る、空気調和機室内機の外観図。
【図２】同実施の形態に係る、空気調和機室内機の模式的な縦断面図。
【図３】同実施の形態に係る、冷凍サイクル運転時における空気調和機室内機の斜視図。
【図４】同実施の形態に係る、冷凍サイクル運転時における空気調和機室内機一部を拡大した斜視図。
【図５】同実施の形態に係る、可動パネルを開放した空気調和機室内機一部の斜視図。
【図６】同実施の形態に係る、前面パネルを開放した空気調和機室内機一部の斜視図。
【図７】同実施の形態に係る、組立てられたリード線保護構造部品の斜視図。
【図８】同実施の形態に係る、分解したリード線保護構造部品の斜視図。
【図９】同実施の形態に係る、リード線保護構造部品一部の拡大した斜視図と分解した斜視図。
【図１０】同実施の形態に係る、リード線保護構造部品におけるリード線の挿通状態を説明する図。
【符号の説明】
【００７５】
３…前面吸込み口、２…上面吸込み口、４…吹出し口、９…室内熱交換器、１２…室内送風機、１…室内機本体、６…可動パネル（可動外観部品）、２０…表示装置、Ｒ…リード線、Ｓ…表示制御部、２１…第１の屈曲部、２５…第２の屈曲部、２４…リード線ガイド、Ｈ…リード線保護構造部品、Ｋ…パネル開閉機構。
【図１】
2010048491.tif 000003
【図２】
2010048491.tif 000004
【図３】
2010048491.tif 000005
【図４】
2010048491.tif 000006
【図５】
2010048491.tif 000007
【図６】
2010048491.tif 000008
【図７】
2010048491.tif 000009
【図８】
2010048491.tif 000010
【図９】
2010048491.tif 000011
【図１０】
2010048491.tif 000012